(57)【特許請求の範囲】
【請求項１】
円筒状のキャップ本体と、
キャップ本体から互いに対向して延び出す一対の突出部と、
一対の突出部の間でキャップ本体の上部に形成された支持部と、
キャップ本体に形成されかつ支柱の上端部に装着される挿入孔と、
支持部に連結する支柱の中心軸に対してほぼ直角に各突出部を貫通して形成された直角孔又は／及び支持部に連結する支柱の中心軸に対してほぼ並行にキャップ本体の上部に形成された並行孔とを備えて樹脂材料により一体成形され、
連結する支柱を一対の突出部の間の支持部で保持し、
直角孔又は／及び並行孔に緊締体を挿通して支持部に連結する支柱又はネットを固定することを特徴とする支柱支持用角キャップ。
【請求項２】
挿入孔に挿入する支柱と挿入孔との間隙に保持リングを配置する請求項１に記載の支柱支持用角キャップ。
【発明の詳細な説明】
【０００１】
【発明の属する技術分野】
この発明はキャップ、特に支柱の上端に装着する支柱支持用角キャップに関する。
【０００２】
【従来の技術】
野菜、果物、花等の植物栽培では、品質を改善し収穫量を増加するために、植物の茎を紐又はクリップ等の緊締体で直接係着し又はネット等を締結し、植物を支持する支柱が利用される。
【０００３】
例えば実公平２−６７６１号公報に示されるように、鋼管を塩化ビニル等の合成樹脂により被覆した農園芸用の支柱の両端部にキャップを嵌合し、鋼管内部への雨水の侵入を防いで錆の発生及び腐食を防止すると共に、鋼管端部の周縁部で作業中に身体に傷をつけるのを防ぐことは公知である。また、実公平７−１８２７６号公報は支柱下端のキャップの先端を矢尻状に成形して支柱のぐらつきを防止する農園芸用支柱を示し、実公平７−２４０２５号公報は上部キャップに着色部を設けて花の色表示ができる家庭園芸用支柱を示す。実開平５−５５８５８号公報では植物用支柱の外周に着脱可能に装着される安全キャップが示されている。
【０００４】
ネットを支持する支柱のキャップとして、実公昭６３−３４５１２号公報に、キャップ頂部に形成した挿入孔に係止部を挿入して金属線を容易に係着できる防鳥ネット用支柱のキャップが示されている。また、実公平２−１９０２４号公報に示されたネット張設杵では、杵本体の端部に設けた凹陥部にキャップを装着してキャップの折れ曲がり及び脱落を防止すると共に、キャップ頂部に対向する突起部及び凹部を形成し、凹部にネットの縁部を挿入した杵をネット条間に配設してネットの緩みを防止する。
【０００５】
【発明が解決しようとする課題】
従来の支柱のキャップはネットの縁部を支持してネットの緩みを防止するので、ネット全体を支持することができない。ネット全体を支持する場合は、支柱にネットの両端をそれぞれ緊締体で締結する。また、支柱を垂直に相互連結する場合は、連結する支柱の端部を十字に組み緊締体で締結するか一方の支柱に他方の支柱を支持する枝等を連結しなければならない。連結に見合った枝等を準備して連結する必要があり、作業に手間がかかる。また、緊締体の締結が緩むと、ネットの張り又は支柱の連結を保持することができない。
【０００６】
そこで、この発明は植物又はネットを支柱に容易かつ確実に支持できる支柱支持用角キャップを提供することを目的とする。
【０００７】
【課題を解決するための手段】
この発明の支柱支持用角キャップは、円筒状のキャップ本体(2)と、キャップ本体(2)から互いに対向して延び出す一対の突出部(3)と、一対の突出部(3)の間でキャップ本体(2)の上部に形成された支持部(4)と、キャップ本体(2)に形成されかつ支柱(7)の上端部(7a)に装着される挿入孔(8)と、支持部(4)に配置される連結する支柱(10)の中心軸(11)に対してほぼ直角に各突出部(3)を貫通して形成された直角孔(5)又は／及び支持部(4)に連結する支柱(10)の中心軸(11)に対してほぼ並行にキャップ本体(2)の上部に形成された並行孔(6)とを備えて樹脂材料により一体成形される。連結する支柱(10)を一対の突出部(3)の間の支持部(4)で保持し、直角孔(5)又は／及び並行孔(6)に緊締体を挿通して支持部(4)に連結する支柱(10)又はネット(13)を固定する。
一対の突出部(3)を上方に向ける状態で、垂直に支持された支柱(7)の上端部(7a)に支柱支持用角キャップ(1)の挿入孔(8)を嵌合し、支持部(4)に連結する支柱(10)をほぼ水平又は傾斜する状態で保持して、支持部(4)と突出部(3)により連結する支柱(10)を容易に支持することができる。また、直角孔(5)又は並行孔(6)に緊締体を挿通して連結する支柱(10)を固定するので、連結する支柱(10)を確実に相互連結し又は直角孔(5)又は並行孔(6)に挿通した緊締体によりネット(13)を容易に支持でき、ネット(13)を確実に支持して張りを保持できる。
【０００８】
本発明の実施の形態では、挿入孔(8)に挿入する支柱(7)と挿入孔(8)との間隙に保持リング(9)を配置して、支柱支持用角キャップ(1)のぐらつきを防止できる。
【０００９】
【発明の実施の形態】
以下、この発明による支柱支持用角キャップの実施の形態を図１〜図８について説明する。
【００１０】
この発明の支柱支持用角キャップ１は、図１〜図３に示すように、円筒状のキャップ本体２と、キャップ本体２から互いに対向して延び出す一対の突出部３と、一対の突出部３の間に形成された支持部４と、突出部３のそれぞれの側方から支持部４に向かって挿通する直角孔５と、各直角孔５が挿通する方向から９０度ずれかつ支持部４と並行にキャップ本体２を貫通する並行孔６と、支柱７の上端部７ａを挿入する円錐形の挿入孔８とを備えている。直角孔５は、支持部４に配置される支柱１０の中心軸１１に対してほぼ直角に各突出部３を貫通して形成される。また、並行孔６は、支持部４に配置される支柱１０の中心軸１１に対してほぼ並行にキャップ本体２の上部に形成される。支柱７は市販の農園芸に使用する金属製、木製又は合成樹脂製の支柱、棒、竹等の竿である。図示しないが、腐食を防止するため、通常樹脂のコーティングが支柱７の表面に設けられる。
【００１１】
図３は市販の農園芸用の支柱に支柱支持用角キャップ１を装着した状態を示す。支柱支持用角キャップ１はポリプロピレン、ナイロン、ポリアセタール、ＡＢＳ樹脂、ポリカーボネート樹脂等の合成樹脂材料により一体成形される。挿入孔８の内径ｄは、連結する支柱１０及びネット１３と成長する植物とを支持できる強度を必要とする支柱７の外径により決定されるが、市販の農園芸用の支柱の外径寸法に合わせて、１１ｍｍ〜１６ｍｍとするのが好ましい。挿入孔８に挿入する支柱７の外径が挿入孔８の内径ｄより小さい場合は、図５に示すように、挿入する支柱７と挿入孔８の内周８ａとの間隙に保持リング９を配置して、支柱７に対して支柱支持用角キャップ１を確実に固定してもよい。図４に示す保持リング９は可撓性樹脂で環状に成形し、支柱支持用角キャップ１を支柱７から取り外すとき、支柱支持用角キャップ１と保持リング９の嵌合を解除するために引張る舌片９ａを設けてもよい。
【００１２】
支柱支持用角キャップ１を使用するときは、先ず支柱支持用角キャップ１の挿入孔８に支柱７の円錐状の上端部７ａを挿入する。必要があれば予め支柱７に保持リング９を装着しておく。図６に示すように、支柱７を相互連結する場合には、連結する支柱１０を支持部４にほぼ水平に載せる。支柱１０は支柱７と同質の材料又は他の材料で形成され、支持部４に支持されかつ突出部３に狭持される。更に直角孔５又は並行孔６に細い紐、針金等の緊締体１２を挿通して連結する支柱１０を固定する。図７に示すように、ネット１３を支持する場合には、直角孔５又は並行孔６にネット１３の緊締体１２を挿通して締結する。例えば、図８に示す植物の栽培方法のように、２本の農園芸用の支柱７に支柱支持用角キャップ１を装着し、支柱支持用角キャップ１の並行孔６に挿通した緊締体１２で支柱１０を固定連結し、支柱支持用角キャップ１の直角孔５にネット１３の緊締体１２を挿通して締結し、ネット１３を支持する。栽培する植物はネット１３に沿って成長し支持される。ネット１３は支柱７、１０の各所に緊締体１２で係着され、ネット１３の張りを保持する。２本の支柱７の間に距離がある場合は、両端の支柱７の間に支柱支持用角キャップ１を装着した支柱７を増設し、支柱１０を支持すると共にネット１３の縁部を紐等で係着してネット１３の張りを調節してもよい。また、支柱１０を連結せずに、支柱７に装着した支柱支持用角キャップ１の支持部４によってネット１３の縁部を単に係止させてもよい。また、この支柱支持用角キャップは植物栽培に使用するだけでなく、スポーツ施設のない公園、海浜等でスポーツ用ネットを設置する場合にも利用できる。
【００１３】
突出部３及び支持部４により連結する支柱１０を容易に支持できると共に、直角孔５又は並行孔６に緊締体１２を挿通して連結する支柱１０を固定するので、支柱７と１０を確実に相互連結できる。また、直角孔５又は並行孔６に挿通した緊締体１２によりネット１３を容易に支持でき、支持する植物の重さによりネット１３がずれるのを防止し、ネット１３の張りを確実に保持できる。挿入孔８に挿入した支柱７と挿入孔８の内周８ａとの間隙に保持リング９を配置して、支柱支持用角キャップ１のぐらつきを防止できると共に、支柱７の外径と挿入孔８の内径との差による支柱７と挿入孔内面８ａとの間隙を補正できる。また、支柱支持用角キャップ１を取り外し、支柱支持用角キャップ１と支柱７を別々に収納できるので、かさばることなく保管できる。
【００１４】
【発明の効果】
前記のように、この発明による支柱支持用角キャップは、支柱を容易に連結して、確実に相互連結できると共に、ネットを容易に締結でき、確実に支持してネットの張りの緩みを防止できる。
【図面の簡単な説明】
【図１】  この発明による支柱支持用角キャップの正面図
【図２】  この発明による支柱支持用角キャップの斜視図
【図３】  支柱支持用角キャップを農園芸用の支柱に装着した状態を示す正面図
【図４】  この発明による支柱支持用角キャップに使用する保持リングの斜視図
【図５】  保持リングと共に支柱支持用角キャップを支柱に装着した状態を示す正面図
【図６】  支柱支持用角キャップに支柱を連結した状態を示す斜視図
【図７】  支柱支持用角キャップにネットを支持した状態を示す斜視図
【図８】  支柱支持用角キャップを使用して植物を栽培する状態を示した斜視図
【符号の説明】
１・・支柱支持用角キャップ、  ２・・キャップ本体、  ３・・突出部、  ４・・支持部、  ５・・直角孔、  ６・・並行孔、  ７・・支柱、  ７ａ・・支柱上端部、  ８・・挿入孔、  ９・・保持リング、  ９ａ・・舌片、  １０・・連結する支柱、  １１・・支柱中心軸、  １２・・締結体、  １３・・ネット、
【図１】
0003724754.tif 000002
【図２】
0003724754.tif 000003
【図３】
0003724754.tif 000004
【図４】
0003724754.tif 000005
【図５】
0003724754.tif 000006
【図６】
0003724754.tif 000007
【図７】
0003724754.tif 000008
【図８】
0003724754.tif 000009